(57)【要約】【課題】タッチパネルの利便性を低減せず、簡易な操作に基づいて、多様な処理を実行することに貢献すること。【解決手段】電子機器は、画像を表示する表示部と、ユーザの接触操作、又は近接操作を検出する第１の操作検出部と、第１の操作検出部と異なる位置に配置され、ユーザの操作を検出する第２の操作検出部と、第２の操作検出部に対する操作に応じて、第１の操作検出部に対する操作に基づく操作処理を決定する処理決定部と、操作処理に基づいて、表示部の表示画像を制御する表示制御部と、を備える。【選択図】図１
2014085858.tif 000002
【特許請求の範囲】
【請求項１】
画像を表示する表示部と、
ユーザの接触操作、又は近接操作を検出する第１の操作検出部と、
前記第１の操作検出部と異なる位置に配置され、ユーザの操作を検出する第２の操作検出部と、
前記第２の操作検出部に対する操作に応じて、前記第１の操作検出部に対する操作に基づく操作処理を決定する処理決定部と、
前記操作処理に基づいて、前記表示部の表示画像を制御する表示制御部と、
を備えることを特徴とする電子機器。
【請求項２】
前記処理決定部は、前記第１の操作検出部が第１の操作を検出した際に、前記第２の操作検出部が第２の操作を検出している場合、前記第１の操作に基づいて、前記第１の操作の検出位置に対応する表示画像と独立する処理を、前記操作処理として決定する請求項１に記載の電子機器。
【請求項３】
前記処理決定部は、前記第１の操作検出部が前記第１の操作を検出した際に、前記第２の操作検出部が前記第２の操作を検出していない場合、前記第１の操作に基づいて、前記第１の操作の検出位置に対応する前記表示画像に対する処理を、前記操作処理として決定する請求項２に記載の電子機器。
【請求項４】
前記第１の操作検出部に対する操作と、前記第２の操作検出部に対する操作との組み合わせに、前記操作処理を対応付ける操作テーブルを生成する、操作テーブル生成部を備え、
前記処理決定部は、前記第１の操作検出部に対する操作が検出された場合、前記操作テーブルに基づいて、前記操作処理を決定する請求項１乃至３のいずれか一に記載の電子機器。
【請求項５】
前記操作テーブル生成部は、アプリケーションに応じた前記操作テーブルを生成する請求項４に記載の電子機器。
【請求項６】
第２の操作検出部は、ハードキー、又はタッチセンサのいずれかを含む請求項１乃至５のいずれか一に記載の電子機器。
【請求項７】
第１の操作検出部は、タッチパネルを含み、前記表示画像の表示位置に対応するユーザの接触操作、又は近接操作を検出する請求項１乃至６のいずれか一に記載の電子機器。
【請求項８】
画像を表示する表示部と、
ユーザの接触操作、又は近接操作を検出する第１の操作検出部と、
前記第１の操作検出部と異なる位置に配置され、ユーザの操作を検出する第２の操作検出部と、を備える電子機器の制御方法であって、
前記第２の操作検出部に対する操作に応じて、前記第１の操作検出部に対する操作に基づく操作処理を決定する処理決定工程と、
前記操作処理に基づいて、前記表示部の表示画像を制御する工程と、
を含むことを特徴とする電子機器の制御方法。
【請求項９】
画像を表示する表示部と、
ユーザの接触操作、又は近接操作を検出する第１の操作検出部と、
前記第１の操作検出部と異なる位置に配置され、ユーザの操作を検出する第２の操作検出部と、を備える電子機器を制御するコンピュータに、
前記第２の操作検出部に対する操作に応じて、前記第１の操作検出部に対する操作に基づく操作処理を決定する決定処理と、
前記操作処理に基づいて、前記表示部の表示画像を制御する処理と、
を実行させるプログラム。
【発明の詳細な説明】
【技術分野】
【０００１】
本発明は、電子機器、その制御方法及びプログラムに関する。特に、タッチパネルを備える電子機器、その制御方法及びプログラムに関する。
【背景技術】
【０００２】
タッチパネルを備える電子機器において、ユーザは、表示画面に対して、タップ、スライド等の操作を行い、電子機器を操作できる。そのため、タッチパネルを備える電子機器において、ユーザは直感的に操作を行うことができる。
【０００３】
特許文献１において、表示画面を複数の領域に分割し、各領域に対するジェスチャに基づいて、所定のメニューを実行する携帯用端末機が開示されている。
【先行技術文献】
【特許文献】
【０００４】
【特許文献１】特開２０１１−１６５１９２号公報
【発明の概要】
【発明が解決しようとする課題】
【０００５】
なお、上記先行技術文献の開示を、本書に引用をもって繰り込むものとする。以下の分析は、本発明の観点からなされたものである。
【０００６】
上述の通り、タッチパネルを備える電子機器においては、ユーザは直感的に操作を行うことができる。しかし、タッチパネルに対する操作に基づいて、全ての処理を行うことは困難である。そのため、タッチパネルを備える電子機器は、ハードキーを備える場合が多い。そのような電子機器においては、ハードキーを押下する等の操作に基づいて処理を行う場合がある。具体的には、電子機器は、所定のハードキーの押下を検出した場合、メニュー画面を表示する場合がある。例えば、ユーザは、Ｗｅｂブラウザを閲覧している場合、ハードキーを押下し、メニュー画面を表示する。そして、ユーザは、表示されたメニュー画面に基づいて、ブックマーク登録等を行う。
【０００７】
ここで、メニュー画面は階層構造になっている場合が多い。そのため、ユーザは、所望の処理（例えば、ブックマーク登録等）を行うためには、複数の操作を行う必要がある。従って、タッチパネルを備える電子機器において、メニュー画面の操作は、タッチパネルの利便性を低減する。
【０００８】
特許文献１において開示された技術では、メニュー画面を操作する。しかし、上述の通り、メニュー画面は階層構造になっている場合が多い。そのため、ユーザは、所望の処理（例えば、Ｗｅｂブラウザにおいて、ブックマーク登録等）を実行させるためには、複数の操作を行う必要がある。従って、特許文献１において開示された技術では、タッチパネルの利便性を低減する恐れがある。
【０００９】
従って、タッチパネルの利便性を低減せず、簡易な操作に基づいて、多様な処理を実行することに貢献する電子機器、その制御方法及びプログラムが、望まれる。
【課題を解決するための手段】
【００１０】
本発明の第１の視点によれば、画像を表示する表示部と、ユーザの接触操作、又は近接操作を検出する第１の操作検出部と、前記第１の操作検出部と異なる位置に配置され、ユーザの操作を検出する第２の操作検出部と、前記第２の操作検出部に対する操作に応じて、前記第１の操作検出部に対する操作に基づく操作処理を決定する処理決定部と、前記操作処理に基づいて、前記表示部の表示画像を制御する表示制御部と、を備える電子機器が、提供される。
【００１１】
本発明の第２の視点によれば、画像を表示する表示部と、ユーザの接触操作、又は近接操作を検出する第１の操作検出部と、前記第１の操作検出部と異なる位置に配置され、ユーザの操作を検出する第２の操作検出部と、を備える電子機器の制御方法であって、前記第２の操作検出部に対する操作に応じて、前記第１の操作検出部に対する操作に基づく操作処理を決定する処理決定工程と、前記操作処理に基づいて、前記表示部の表示画像を制御する工程と、を含むことを特徴とする電子機器の制御方法が、提供される。
なお、本方法は、画像を表示する表示部と、第１の操作検出部と、第１の操作検出部と異なる位置に配置される第２の検出部と、を備える電子機器という特定の機械に結びつけられている。
【００１２】
本発明の第３の視点によれば、画像を表示する表示部と、ユーザの接触操作、又は近接操作を検出する第１の操作検出部と、前記第１の操作検出部と異なる位置に配置され、ユーザの操作を検出する第２の操作検出部と、を備える電子機器を制御するコンピュータに、前記第２の操作検出部に対する操作に応じて、前記第１の操作検出部に対する操作に基づく操作処理を決定する決定処理と、前記操作処理に基づいて、前記表示部の表示画像を制御する処理と、を実行させるプログラムが、提供される。
なお、このプログラムは、コンピュータが読み取り可能な記憶媒体に記録することができる。記憶媒体は、半導体メモリ、ハードディスク、磁気記録媒体、光記録媒体等の非トランジェント（ｎｏｎ−ｔｒａｎｓｉｅｎｔ）なものとすることができる。本発明は、コンピュータプログラム製品として具現することも可能である。
【発明の効果】
【００１３】
本発明の各視点によれば、タッチパネルの利便性を低減せず、簡易な操作に基づいて、多様な処理を実行することに貢献する電子機器、その制御方法及びプログラムが、提供される。
【図面の簡単な説明】
【００１４】
【図１】一実施形態の概要を説明するための図である。
【図２】第１の実施形態に係る電子機器１の全体構成の一例を示す平面図である。
【図３】第１の実施形態に係る電子機器１の全体構成の一例を示す平面図である。
【図４】ユーザが電子機器１を把持する一例を示す図である。
【図５】第１の実施形態に係る電子機器１の内部構成の一例を示す図である。
【図６】操作テーブルの一例を示す図である。
【図７】第１の実施形態に係る電子機器１の表示制御処理の一例を示すフローチャートである。
【図８】操作テーブルの一例を示す図である。
【発明を実施するための形態】
【００１５】
初めに、図１を用いて一実施形態の概要について説明する。なお、この概要に付記した図面参照符号は、理解を助けるための一例として各要素に便宜上付記したものであり、この概要の記載はなんらの限定を意図するものではない。
【００１６】
上述の通り、タッチパネルを備える電子機器においては、ユーザは直感的な操作をおこなうことができる。しかし、全ての操作をタッチパネルで行うことはできないため、メニュー画面を表示する場合がある。ここで、メニュー画面を用いて、ユーザが所望の処理を電子機器に実行させるためには、複数の操作が必要な場合がある。そのため、メニュー画面等の操作は、タッチパネルの利便性を低減する恐れがある。従って、タッチパネルの利便性を低減せず、簡易な操作に基づいて、多様な処理を実行することに貢献する電子機器が、望まれる。
【００１７】
そこで、一例として図１に示す電子機器１００を提供する。電子機器１００は、画像を表示する表示部１０１と、ユーザの接触操作、又は近接操作を検出する第１の操作検出部１０２と、第１の操作検出部１０２と異なる位置に配置され、ユーザの操作を検出する第２の操作検出部１０３と、第２の操作検出部１０３に対する操作に応じて、第１の操作検出部１０２に対する操作に基づく操作処理を決定する処理決定部１０４と、操作処理に基づいて、表示部１０１の表示画像を制御する表示制御部１０５と、を備える。
【００１８】
電子機器１００は、ユーザの接触操作、又は近接操作を検出する第１の操作検出部１０２を備える。例えば、第１の操作検出部１０２は、タッチパネルが好ましい。
【００１９】
さらに、電子機器１００は、第１の操作検出部１０２に対する操作と異なるユーザの操作を検出する、第２の操作検出部１０３を備える。そして、第２の操作検出部１０３は、第１の操作検出部１０２と異なる位置に配置される。つまり、電子機器１００は、少なくとも２箇所で、それぞれ異なる操作を検出する。
【００２０】
電子機器１００は、第２の操作検出部１０３に対する操作に応じて、第１の操作検出部１０２に対する操作に基づく操作処理を決定する。操作処理とは、ユーザの操作に基づいて、実行される処理を表す。そして、電子機器１００は、表示部１０１の表示画像を制御する。
【００２１】
つまり、電子機器１００は、第１の操作検出部１０２に対する操作が同一であっても、第２の操作検出部１０３に対する操作に応じて、処理を変更する。そのため、電子機器１００は、タッチパネルに対して、タップ等の簡易な操作を行った場合に、第２の操作検出部１０３に対する操作に応じて、異なる処理を実行する。従って、電子機器１００は、タッチパネルの利便性を低減せず、簡易な操作に基づいて、多様な処理を実行することに貢献する。
【００２２】
以下に具体的な実施の形態について、図面を参照してさらに詳しく説明する。
【００２３】
［第１の実施形態］
第１の実施形態について、図面を用いてより詳細に説明する。
【００２４】
図２、図３は、本実施形態に係る電子機器１の全体構成の一例を示す平面図である。図２（ａ）、図３（ａ）、図３（ｂ）は、電子機器１の前面の一例を示す平面図である。また、図２（ｂ）は、電子機器１の背面の一例を示す平面図である。なお、表示部１０の方向の面を、前面とする。一方、表示部１０と相対する面を背面とする。
【００２５】
電子機器１は、表示部１０と、タッチパネル２０（上述の第１の操作検出部１０２に相当）と、操作制御キー３０（上述の第２の操作検出部１０３に相当）と、を含んで構成される。なお、本実施形態に係る電子機器１を、図２で示す形態に限定する趣旨ではない。例えば、スマートフォン、携帯電話、ゲーム機、タブレットＰＣ（Personal Computer）、ノートＰＣ、ＰＤＡ（Personal Data Assistants；携帯情報端末）等の電子機器であってもよい。
【００２６】
ユーザは、表示部１０により電子機器１が表示する情報（文字や写真等）を視認する。なお、表示部１０は、液晶パネル、有機ＥＬ（Electro Luminescence）パネル等が好ましい。
【００２７】
タッチパネル２０は、ユーザの接触操作、又は近接操作を検出する。タッチパネル２０は、表示部１０の表示画像の表示位置に対応する、ユーザの接触操作、又は近接操作を検出する。
【００２８】
タッチパネル２０は、表示部１０の上に、操作検出部ガラスを組み合わせた外付け型であってもよい。または、表示部１０の上に平板上のタッチセンサを組み合わせたオンセル型であってもよい。あるいは、タッチパネル２０は、表示部１０にタッチセンサを内蔵したインセル型であっても良い。このように、タッチパネル２０の構成は、各種存在するが、その方式は問わない。即ち、タッチパネルの検出形式や構成等はどのような形式及び構成であってもよい。
【００２９】
操作制御キー３０は、タッチパネル２０と異なる位置に配置され、ユーザの操作を検出する。操作制御キー３０は、ハードキー、タッチセンサ等が好ましい。
【００３０】
操作制御キー３０は、ユーザがタッチパネル２０を操作しながら、操作（押下、接触等）できる位置に配置されることが好ましい。例えば、図２に示すように、操作制御キー３０は、電子機器１の背面に配置されてもよい。または、図３（ａ）に示すように、操作制御キー３０は、電子機器１の前面に配置されてもよい。あるいは、図３（ｂ）に示すように、操作制御キー３０は、電子機器１の側面に配置されても良い。なお、図２、図３は、操作制御キー３０の位置を、図２、図３で示す位置に限定する趣旨ではない。
【００３１】
図４は、ユーザが電子機器１を把持する一例を示す図である。図４の場合には、操作制御キー３０は、電子機器１の背面に設置されている。その場合、例えば、ユーザは電子機器１を把持し、親指（図４に示す指ｆ１）でタッチパネル２０を操作してもよい。さらに、人差し指（図４に示す指ｆ２）で操作制御キー３０を操作してもよい。なお、図４は、タッチパネル２０の入力を、ユーザの指に限定する趣旨ではない。ユーザは、スタイラスペン等を使用して、タッチパネル２０を操作しても良い。また、図４は、ユーザが、タッチパネル２０と操作制御キー３０を、片手で操作することに限定する趣旨ではない。
【００３２】
図５は、本実施形態に係る電子機器１の内部構成の一例を示す図である。電子機器１は、表示部１０と、タッチパネル２０と、操作制御キー３０と、制御部４０と、記憶部５０と、を含んで構成される。さらに、制御部４０は、操作テーブル生成部４１と、処理決定部４２と、表示制御部４３と、を含んで構成される。図５には、簡単のため、本実施形態に係る電子機器１に関係するモジュールを主に記載する。なお、表示部１０、タッチパネル２０は上述の通りであるため、更なる説明を省略する。
【００３３】
制御部４０は、電子機器１の全体を制御すると共に、図５に示す各部を制御する。制御部４０は、電子機器１に搭載されたコンピュータに、そのハードウェアを用いて、電子機器１の処理を実行させるコンピュータプログラムにより実現することもできる。
【００３４】
操作テーブル生成部４１は、操作テーブルを生成する。操作テーブル生成部４１は、アプリケーションに応じた操作テーブルを生成しても良い。そして、記憶部５０は、生成された操作テーブルを記憶する。
【００３５】
具体的には、操作テーブルは、タッチパネル２０に対する操作と、操作制御キー３０に対する操作との組み合わせに、操作処理を対応付けるテーブルである。以下の説明では、タッチパネル２０に対する操作を、タッチパネル操作と呼ぶ。また、操作制御キー３０に対する操作を、制御キー操作と呼ぶ。例えば、操作制御キー３０がハードキーである場合、操作制御キー３０を押下する操作を、制御キー操作としてもよい。
【００３６】
タッチパネル操作は、例えば、タップ操作、フリック操作、ピンチ操作等を含む。タップ操作は、ユーザがタッチパネル２０の表面に接触（又は近接）した直後に、表面に触れた指を離す操作である。また、フリック操作とは、ユーザがタッチパネル２０の表面で指を弾く操作である。つまり、タッチパネル２０が所定距離以上、所定時間内に移動した入力を検出した場合、制御部４０はフリック操作が行われたと判断する。ピンチ操作は、ユーザが複数の指をタッチパネル２０に接触させながら、各指の接触位置間の距離を変化させる操作である。
【００３７】
図６は、操作テーブルの一例を示す図である。図６の場合、操作制御キー３０は、ハードキーであるとする。
【００３８】
そこで、図６の場合、操作制御キー３０が押下された状態で、タッチパネル操作「操作１」が行われた場合、操作処理は「処理１」とする。一方、操作制御キー３０が押下されない状態で、タッチパネル操作「操作１」が行われた場合、操作処理は「処理１１」とする。つまり、操作テーブル生成部４１は、同一のタッチパネル操作に対して、制御キー操作に応じて、異なる処理を操作テーブルとして登録する。
【００３９】
処理決定部４２は、制御キー操作に応じて、タッチパネル操作に基づく処理を決定する。具体的には、処理決定部４２は、タッチパネル操作が検出された場合、操作テーブルに基づいて、操作処理を決定する。なお、操作テーブル生成部４１は、予め、操作テーブルを生成しているとする。
【００４０】
例えば、タッチパネル２０が第１の操作（タッチパネル操作）を検出した際に、操作制御キー３０が、第２の操作（制御キー操作）を検出している場合を考える。その場合、処理決定部４２は、第１の操作に基づいて、第１の操作の検出位置に対応する表示画像と独立する処理を、操作処理として決定することが好ましい。
【００４１】
一方、タッチパネル２０が第１の操作（タッチパネル操作）を検出した際に、操作制御キー３０が第２の操作（制御キー操作）を検出していない場合を考える。その場合、処理決定部４２は、第１の操作に基づいて、第１の操作の検出位置に対応する表示画像に対する処理を、操作処理として決定することが好ましい。
【００４２】
表示制御部４３は、操作処理に基づいて、表示部１０の表示画像を制御する。
【００４３】
次に、本実施形態に係る電子機器１の動作について説明する。
【００４４】
図７は、本実施形態に係る電子機器１における表示制御処理の一例を示すフローチャートである。
【００４５】
ステップＳ１において、タッチパネル２０が操作を検出したか否かを、制御部４０は判断する。タッチパネル２０が操作を検出した場合（ステップＳ１のＹｅｓ分岐）には、ステップＳ２に遷移する。タッチパネル２０が操作を検出しない場合（ステップＳ１のＮｏ分岐）には、ステップＳ１に戻り、処理を継続する。
【００４６】
ステップＳ２において、操作制御キー３０が所定の操作を検出したか否かを、制御部４０は判断する。例えば、操作制御キー３０がハードキーである場合、操作制御キー３０が押下されたか否かを、制御部４０は判断することが好ましい。また、操作制御キー３０が、接触操作、又は近接操作を検出するタッチセンサである場合、操作制御キー３０が接触操作、近接操作等を検出したか否かを、制御部４０は判断することが好ましい。
【００４７】
操作制御キー３０が所定の操作を検出した場合（ステップＳ２のＹｅｓ分岐）には、処理決定部４２は、操作テーブルに基づいて、操作処理を決定する（ステップＳ３）。一方、操作制御キー３０が、所定の操作を検出しない場合（ステップＳ２のＮｏ分岐）には、処理決定部４２は、タッチパネル２０の操作検出位置の表示画像に対応する処理を、操作処理として決定する。
【００４８】
ステップＳ５において、表示制御部４３は、操作処理に基づいて、表示部１０の表示画像を制御する。
【００４９】
図８は、アプリケーションに応じた操作テーブルの一例を示す図である。図８の場合、Ｗｅｂアプリケーションと、メールアプリケーションに対する操作テーブルの一例を示す。例えば、Ｗｅｂアプリケーションを実行している場合を考える。そして、操作制御キー３０が押下された状態で、タッチパネル２０が、タップ操作を検出したとする。その場合、処理決定部４２は、新しいウィンドウの表示を、操作処理として決定する。そして、表示制御部４３は、新しいウィンドウを表示する。一方、操作制御キー３０が押下されない状態で、タッチパネル２０が、タップ操作を検出したとする。処理決定部４２は、タップ操作の検出位置に基づいて、リンク先の画像表示を、操作処理として決定する。
【００５０】
また、操作制御キー３０が押下された状態で、タッチパネル２０が、所定の方向のフリック操作を検出したとする。その場合、処理決定部４２は、一つ前のページに戻る処理を、操作処理として決定する。一方、操作制御キー３０が押下されない状態で、タッチパネル２０が、所定の方向のフリック操作を検出したとする。その場合、処理決定部４２は、表示画像をスクロールする処理を、操作処理として決定する。
【００５１】
あるいは、操作制御キー３０が押下された状態で、タッチパネル２０が、所定の位置（例えば、画面の境界線から所定の距離以内の位置。以下、簡単のため、画面端と呼ぶ）の接触操作、又は近接操作等を検出したとする。その場合、処理決定部４２は、表示ページのブックマーク登録を、操作処理として決定する。一方、操作制御キー３０が押下されない状態で、タッチパネル２０が、所定の位置（例えば、画面端）の接触操作、又は近接操作等を検出したとする。その場合、操作検出位置が変化等した後、制御部４０が、スライド操作、タップ操作等と判断するまで、処理決定部４２は、待機する（処理を行わない）。
【００５２】
また、図８に示すように、記憶部５０は、メールアプリケーションにおいて、Ｗｅｂアプリケーションと異なる操作処理を、操作テーブルとして記憶しても良い。なお、メールアプリケーションの操作処理の一例について、詳細な説明は省略する。なお、操作テーブルは、図８に示すアプリケーション、処理、操作に限定されないことは勿論である。
【００５３】
また、電子機器１は、操作テーブルの作成画面を備えていてもよい。その場合、操作テーブル生成部４１は、操作テーブルの作成画面に対するユーザの操作に基づいて、テーブルを生成する。
【００５４】
以上のように、本実施形態に係る電子機器１においては、タッチパネルに対する操作と、操作制御キーに対する操作との組み合わせに基づいて、表示画像を制御する。そのため、本実施形態に係る電子機器１は、メニュー画面等を表示せず、簡易な操作に基づいて、多様な処理を実現することに貢献する。従って、本実施形態に係る電子機器１は、タッチパネルの利便性を低減せず、簡易な操作に基づいて、多様な処理を実行することに貢献する。
【００５５】
上記の実施形態の一部又は全部は、以下の付記のようにも記載され得るが、以下には限られない。
【００５６】
（付記１）上記第１の視点に係る電子機器の通りである。
【００５７】
（付記２）前記処理決定部は、前記第１の操作検出部が第１の操作を検出した際に、前記第２の操作検出部が第２の操作を検出している場合、前記第１の操作に基づいて、前記第１の操作の検出位置に対応する表示画像と独立する処理を、前記操作処理として決定する付記１に記載の電子機器。
【００５８】
（付記３）前記処理決定部は、前記第１の操作検出部が前記第１の操作を検出した際に、前記第２の操作検出部が前記第２の操作を検出していない場合、前記第１の操作に基づいて、前記第１の操作の検出位置に対応する前記表示画像に対する処理を、前記操作処理として決定する付記２に記載の電子機器。
【００５９】
（付記４）前記第１の操作検出部に対する操作と、前記第２の操作検出部に対する操作との組み合わせに、前記操作処理を対応付ける操作テーブルを生成する、操作テーブル生成部を備え、前記処理決定部は、前記第１の操作検出部に対する操作が検出された場合、前記操作テーブルに基づいて、前記操作処理を決定する付記１乃至３のいずれか一に記載の電子機器。
【００６０】
（付記５）前記操作テーブル生成部は、アプリケーションに応じた前記操作テーブルを生成する付記４に記載の電子機器。
【００６１】
（付記６）第２の操作検出部は、ハードキー、又はタッチセンサのいずれかを含む付記１乃至５のいずれか一に記載の電子機器。
【００６２】
（付記７）第１の操作検出部は、タッチパネルを含み、前記表示画像の表示位置に対応するユーザの接触操作、又は近接操作を検出する付記１乃至６のいずれか一に記載の電子機器。
【００６３】
（付記８）上記第２の視点に係る電子機器の制御方法の通りである。
【００６４】
（付記９）前記処理決定工程において、第１の操作が検出された際に、第２の操作が検出されている場合、前記第１の操作に基づいて、前記第１の操作の検出位置に対応する表示画像と独立する処理を、前記操作処理として決定する付記８に記載の電子機器の制御方法。
【００６５】
（付記１０）前記処理決定工程において、前記第１の操作が検出された際に、前記第２の操作が検出されていない場合、前記第１の操作に基づいて、前記第１の操作の検出位置に対応する前記表示画像に対する処理を、前記操作処理として決定する付記９に記載の電子機器の制御方法。
【００６６】
（付記１１）前記第１の操作検出部に対する操作と、前記第２の操作検出部に対する操作との組み合わせに、前記操作処理を対応付ける操作テーブルを生成する、操作テーブル生成工程を含み、前記処理決定工程において、前記第１の操作検出部に対する操作が検出された場合、前記操作テーブルに基づいて、前記操作処理を決定する付記８乃至１０のいずれか一に記載の電子機器の制御方法。
【００６７】
（付記１２）前記操作テーブル生成工程において、アプリケーションに応じた前記操作テーブルを生成する付記１１に記載の電子機器の制御方法。
【００６８】
（付記１３）上記第３の視点に係るプログラムの通りである。
【００６９】
（付記１４）前記処理決定処理において、第１の操作が検出された際に、第２の操作が検出されている場合、前記第１の操作に基づいて、前記第１の操作の検出位置に対応する表示画像と独立する処理を、前記操作処理として決定する付記１３に記載のプログラム。
【００７０】
（付記１５）前記処理決定処理において、前記第１の操作が検出された際に、前記第２の操作が検出されていない場合、前記第１の操作に基づいて、前記第１の操作の検出位置に対応する前記表示画像に対する処理を、前記操作処理として決定する付記１４に記載のプログラム。
【００７１】
（付記１６）前記第１の操作検出部に対する操作と、前記第２の操作検出部に対する操作との組み合わせに、前記操作処理を対応付ける操作テーブルを生成する、操作テーブル生成処理を実行し、前記処理決定処理において、前記第１の操作検出部に対する操作が検出された場合、前記操作テーブルに基づいて、前記操作処理を決定する付記１３乃至１５のいずれか一に記載のプログラム。
【００７２】
（付記１７）前記操作テーブル生成処理において、アプリケーションに応じた前記操作テーブルを生成する付記１６に記載のプログラム。
【００７３】
なお、引用した上記の特許文献の開示は、本書に引用をもって繰り込むものとする。本発明の全開示（請求の範囲を含む）の枠内において、さらにその基本的技術思想に基づいて、実施形態ないし実施例の変更・調整が可能である。また、本発明の請求の範囲の枠内において種々の示要素（各請求項の各要素、各実施形態ないし実施例の各要素、各図面の各要素等を含む）の多様な組み合わせ、ないし、選択が可能である。すなわち、本発明は、請求の範囲を含む全開示、技術的思想にしたがって当業者であればなし得るであろう各種変形、修正を含むことは勿論である。特に、本書に記載した数値範囲については、当該範囲内に含まれる任意の数値ないし小範囲が、別段の記載のない場合でも具体的に記載されているものと解釈されるべきである。
【符号の説明】
【００７４】
１、１００  電子機器
１０、１０１  表示部
２０  タッチパネル
３０  操作制御キー
４０  制御部
４１  操作テーブル生成部
４２、１０４  処理決定部
４３、１０５  表示制御部
５０  記憶部
１０２  第１の操作検出部
１０３  第２の操作検出部
【図１】
2014085858.tif 000003
【図２】
2014085858.tif 000004
【図３】
2014085858.tif 000005
【図４】
2014085858.tif 000006
【図５】
2014085858.tif 000007
【図６】
2014085858.tif 000008
【図７】
2014085858.tif 000009
【図８】
2014085858.tif 000010